(57)【要約】【課題】電子黒板に筆記した内容が消去された場合でも、筆記内容が容易に再生できる電子黒板を提供する。【解決手段】記入面１は電子黒板に文字・図形を筆記する筆記エリアである。スキャナ部２はＣＣＤを利用した読取装置で、この記入面１の筆記内容を走査して取り込む。プロッタ部３は記入面１に記録ペンで筆記内容をプロットする。記憶媒体４は筆記内容を色別の点情報として記憶する。印字部５は筆記内容をプリントアウトする。ＣＰＵ部６は筆記内容の色別の点情報を線分情報に変換するデータ処理変換及びスキャナ部２、プロッタ部３、記憶媒体４、印字部５の全体制御を行う。【選択図】　　　図１
2004017581.tif 000002
【特許請求の範囲】
【請求項１】
文字・図形を筆記する記入面と、この記入面の筆記内容を走査して取り込む走査手段と、前記記入面に記録ペンで前記筆記内容をプロットする描画手段と、前記筆記内容を記憶する記憶手段と、記憶した筆記内容をプリントアウトする印字手段と、前記記憶した筆記内容の点情報を線分情報に変換するデータ変換手段とを備えたことを特徴とする電子黒板。
【請求項２】
文字・図形を筆記する記入面と、この記入面の筆記内容を走査して取り込むスキャナ部と、前記記入面に記録ペンで前記筆記内容をプロットするプロッタ部と、前記筆記内容を記憶する記憶媒体と、記憶した筆記内容をプリントアウトする印字部と、前記記憶した筆記内容の点情報を線分情報に変換するデータ変換処理を行うＣＰＵ（Ｃｅｎｔｒａｌ　Ｐｒｏｃｅｓｓｏｒ　Ｕｎｉｔ）部とを備えたことを特徴とする電子黒板。
【請求項３】
前記スキャナ部は、
ＣＣＤ（Ｃｈａｒｇｅ　Ｃｏｕｐｌｅｄ　Ｄｅｖｉｃｅ）を利用した読取装置で、前記スキャナ部のＣＣＤを水平方向に、前記記入面を垂直方向に動かすことにより、前記記入面の全面走査を行うことを特徴とする請求項２記載の電子黒板。
【請求項４】
前記プロッタ部は、
前記記録ペンを保持し、前記記録ペンを水平方向に動かし、前記記入面を垂直方向に動かし、前記記録ペンを前記記入面に接触および非接触させることにより、筆記した内容をプロットすることを特徴とする請求項２又は請求項３記載の電子黒板。
【請求項５】
前記記憶媒体は、
前記記入面の筆記内容を色別の点情報としてメモリに記憶することを特徴とする請求項２、３又は４記載の電子黒板。
【請求項６】
前記ＣＰＵ部は、
前記スキャナ部で読取られた升目毎の色別信号と前記スキャナ部の水平方向の位置及び前記記入面の垂直方向の位置を検出し、前記記入面の升目上の色別の点情報を前記記憶媒体が有する色別のメモリに前記記入面の升目と対応して記憶し、色別のメモリ毎に前記色別の点情報を線分情報に変換し、前記記録媒体に記録することを特徴とする請求項２、３、４又は５記載の電子黒板。
【請求項７】
電子黒板の記入面に筆記された内容を、スキャナ部を水平方向に、前記記入面を垂直方向に動かすことにより読取り、この読取り動作により前記記入面の筆記内容を、升目に分け升目毎に色別信号に変換しＣＰＵ部へ転送し、
前記ＣＰＵ部で、升目毎の前記色別信号と前記スキャナ部の水平方向の位置及び前記記入面の垂直方向の位置を検出し、前記記入面の升目上の色別の点情報を記憶媒体が有する色別のメモリに前記記入面の升目と対応して記憶し、前記メモリに記憶した色別の点情報を線分情報に変換し、前記記録媒体に記録し、
前記線分情報に基づき色毎に対応した記録ペンを水平方向に、前記記入面を垂直向に動かすことで筆記した内容を再生することを特徴とする請求項２記載の電子黒板。
【請求項８】
文字・図形を筆記する記入面と、この記入面の筆記内容を走査して取り込むスキャナ部と、前記記入面に記録ペンで前記筆記内容をプロットするプロッタ部と、前記筆記内容を記憶する記憶媒体と、記憶した筆記内容をプリントアウトする印字部と、前記記憶した筆記内容の点情報を線分情報に変換するデータ変換処理を行うＣＰＵ（Ｃｅｎｔｒａｌ　Ｐｒｏｃｅｓｓｏｒ　Ｕｎｉｔ）部とを備えた電子黒板であって、
前記記入面の始点情報をクリアするクリアステップ（Ａ１）と；
前記記憶媒体の色別メモリに点情報が残っているかどうかを検索し、点情報が無ければ処理を終了し、点情報が残っていれば次の始点情報クリア判定ステップ（Ａ３）に進む点情報検索ステップ（Ａ２）と；
始点情報がクリアされているかどうかの判定を行い、始点情報がクリアされている場合次の新規始点設定ステップ（Ａ４）で始点を新たに設定し、始点情報がクリアされていない場合、前回の終点を始点として処理し、周辺検索ステップ（Ａ５）に進む始点情報クリア判定ステップ（Ａ３）と；
始点を新たに設定するためメモリの端から点の有無を検索し、始めに見つけた点を始点とする前記新規始点設定ステップ（Ａ４）と；
始点の周囲を検索し始点が存在するかどうかを判定する前記周辺検索ステップ（Ａ５）と；
前記周辺検索ステップ（Ａ５）で始点の周囲に点がある場合、最初に見つけた始点の隣の点を終点として始点及び終点の情報を線分情報として記憶する線分情報記憶ステップ（Ａ６）と；
始点情報に対応する色別メモリの点情報をクリアする色別点情報クリアステップ（Ａ７）と；
その後、始点情報に終点情報をコピーし、前記点情報検索ステップ（Ａ２）に戻る点情報コピーステップ（Ａ８）と；
前記周辺検索ステップ（Ａ５）で始点の周囲に点がない場合、終点情報に始点情報をコピーして始点及び終点の情報を線分として記憶する線分記憶ステップ（Ａ９）と；
始点情報に対応する色別メモリの点情報をクリアする色別メモリクリアステップ（Ａ１０）と；
その後、始点情報をクリアし、前記点情報検索ステップ（Ａ２）に戻る始点情報クリアステップ（Ａ１１）と；
を備えたことを特徴とする電子黒板の筆記内容処理方法。
【請求項９】
今回読み込むデータの有無を判定する判定ステップ（Ｂ１）と；
読み込むデータが無ければ、前記記録ペンを前記記入面と非接触状態にして終了する終了ステップ（Ｂ６）と；
前記判定ステップ（Ｂ１）で読み込むデータが有れば、データを読み込む読込ステップ（Ｂ２）と；
前回の終点位置と今回の始点位置を比較することにより、前回の終点位置と今回の始点位置が同じかどうかを判定する位置判定ステップ（Ｂ３）と；
この位置判定ステップ（Ｂ３）で、前回の終点と今回の始点が異なる位置の場合不連続点であるため、記録ペンを記入面と非接触状態にして今回の始点位置まで記録ペンを移動したのち、記録ペンを記入面に接触させる接触ステップ（Ｂ４）と；
前記位置判定ステップ（Ｂ３）で、前回の終点と今回の始点が同じ位置の場合連続点であり、記録ペンを記入面に接触したまま今回の終点位置まで移動することにより線分を再生し、前記判定ステップ（Ｂ１）に戻る線分再生ステップ（Ｂ５）と；
を備えたことを特徴とする請求項８記載の電子黒板の筆記内容処理方法。
【請求項１０】
請求項２〜７のいずれか１項に記載の電子黒板であって、
イメージスキャナを追加することにより、図面及び書類を前記イメージスキャナから取り込み、取り込んだデータの点情報を線分情報に変換して表示することを特徴とする電子黒板。
【請求項１１】
請求項２〜７のいずれか１項に記載の電子黒板であって、
パーソナルコンピュータで作成した画像並びにデジタルカメラにより撮影した画像を読み込み、読み込んだデータの点情報を線分情報に変換して表示することを特徴とする電子黒板。
【発明の詳細な説明】
【０００１】
【発明の属する技術分野】
本発明は電子黒板に関し、特に電子黒板に筆記した内容が消去された後でも筆記内容が再生される電子黒板に関する。
【０００２】
【従来の技術】
最近、会議等で議事内容を黒板同様に白板の記入面に筆記ペンで筆記し、この筆記した内容をファクシミリ技術の応用により、記録紙に印字出力する電子黒板が広く利用されている。この電子黒板は、会議の中断等により筆記内容が消された場合、会議再開時に再度手書きで筆記する必要がある。
【０００３】
また、記録紙に印字出力しないで筆記内容を消去した場合、会議の議事内容そのものが紛失することになる。
【０００４】
つまり従来の電子黒板は、記入面に筆記したものを消去してしまうと再生することができない。
【０００５】
このような技術の一例として、例えば実開昭６３−０９７９５０号公報記載の「表示装置」が知られている。
【０００６】
この公報では、記入面上の文字・図形を構成する点（ドット）情報を読み取り、この点（ドット）情報に基づいて文字・図形を黒板に描く技術が記載されている。
【０００７】
【発明が解決しようとする課題】
上述した従来の電子黒板は、電子黒板の記入面に筆記したものを消去してしまうと、筆記した内容を再生することができないという欠点を有している。
【０００８】
また、記入面上の文字・図形を構成する点（ドット）情報を読み取るが、点（ドット）情報のままのため、記入面に容易に再生できないという欠点を有している。
【０００９】
本発明の目的は、電子黒板に筆記した内容が消去された場合でも、筆記内容が容易に再生できる電子黒板を提供することにある。
【００１０】
【課題を解決するための手段】
本発明の第１の電子黒板は、文字・図形を筆記する記入面と、この記入面の筆記内容を走査して取り込む走査手段と、前記記入面に記録ペンで前記筆記内容をプロットする描画手段と、前記筆記内容を記憶する記憶手段と、記憶した筆記内容をプリントアウトする印字手段と、前記記憶した筆記内容の点情報を線分情報に変換するデータ変換手段とを備えたことを特徴としている。
【００１１】
本発明の第２の電子黒板は、文字・図形を筆記する記入面と、この記入面の筆記内容を走査して取り込むスキャナ部と、前記記入面に記録ペンで前記筆記内容をプロットするプロッタ部と、前記筆記内容を記憶する記憶媒体と、記憶した筆記内容をプリントアウトする印字部と、前記記憶した筆記内容の点情報を線分情報に変換するデータ変換処理を行うＣＰＵ（Ｃｅｎｔｒａｌ　Ｐｒｏｃｅｓｓｏｒ　Ｕｎｉｔ）部とを備えたことを特徴としている。
【００１２】
本発明の第３の電子黒板は、前記第２の電子黒板において、
前記スキャナ部は、
ＣＣＤ（Ｃｈａｒｇｅ　Ｃｏｕｐｌｅｄ　Ｄｅｖｉｃｅ）を利用した読取装置で、前記スキャナ部のＣＣＤを水平方向に、前記記入面を垂直方向に動かすことにより、前記記入面の全面走査を行うことを特徴としている。
【００１３】
本発明の第４の電子黒板は、前記第２または第３の電子黒板において、
前記記録ペンを保持し、前記記録ペンを水平方向に動かし、前記記入面を垂直方向に動かし、前記記録ペンを前記記入面に接触および非接触させることにより、筆記した内容をプロットすることを特徴としている。
【００１４】
本発明の第５の電子黒板は、前記第２〜４のいずれかの電子黒板において、
前記記憶媒体は、
前記記入面の筆記内容を色別の点情報としてメモリに記憶することを特徴としている。
【００１５】
本発明の第６の電子黒板は、前記第２〜５のいずれかの電子黒板において、
前記ＣＰＵ部は、
前記スキャナ部で読取られた升目毎の色別信号と前記スキャナ部の水平方向の位置及び前記記入面の垂直方向の位置を検出し、前記記入面の升目上の色別の点情報を前記記憶媒体が有する色別のメモリに前記記入面の升目と対応して記憶し、色別のメモリ毎に前記色別の点情報を線分情報に変換し、前記記録媒体に記録することを特徴としている。
【００１６】
本発明の第７の電子黒板は、前記第２の電子黒板において、
電子黒板の記入面に筆記された内容を、スキャナ部を水平方向に、前記記入面を垂直方向に動かすことにより読取り、この読取り動作により前記記入面の筆記内容を、升目に分け升目毎に色別信号に変換しＣＰＵ部へ転送し、
前記ＣＰＵ部で、升目毎の前記色別信号と前記スキャナ部の水平方向の位置及び前記記入面の垂直方向の位置を検出し、前記記入面の升目上の色別の点情報を記憶媒体が有する色別のメモリに前記記入面の升目と対応して記憶し、前記メモリに記憶した色別の点情報を線分情報に変換し、前記記録媒体に記録し、
前記線分情報に基づき色毎に対応した記録ペンを水平方向に、前記記入面を垂直向に動かすことで筆記した内容を再生することを特徴としている。
【００１７】
本発明の第８の電子黒板は、
文字・図形を筆記する記入面と、この記入面の筆記内容を走査して取り込むスキャナ部と、前記記入面に記録ペンで前記筆記内容をプロットするプロッタ部と、前記筆記内容を記憶する記憶媒体と、記憶した筆記内容をプリントアウトする印字部と、前記記憶した筆記内容の点情報を線分情報に変換するデータ変換処理を行うＣＰＵ（Ｃｅｎｔｒａｌ　Ｐｒｏｃｅｓｓｏｒ　Ｕｎｉｔ）部とを備えた電子黒板であって、
前記記入面の始点情報をクリアするクリアステップ（Ａ１）と；
前記記憶媒体の色別メモリに点情報が残っているかどうかを検索し、点情報が無ければ処理を終了し、点情報が残っていれば次の始点情報クリア判定ステップ（Ａ３）に進む点情報検索ステップ（Ａ２）と；
始点情報がクリアされているかどうかの判定を行い、始点情報がクリアされている場合次の新規始点設定ステップ（Ａ４）で始点を新たに設定し、始点情報がクリアされていない場合、前回の終点を始点として処理し、周辺検索ステップ（Ａ５）に進む始点情報クリア判定ステップ（Ａ３）と；
始点を新たに設定するためメモリの端から点の有無を検索し、始めに見つけた点を始点とする前記新規始点設定ステップ（Ａ４）と；
始点の周囲を検索し始点が存在するかどうかを判定する前記周辺検索ステップ（Ａ５）と；
前記周辺検索ステップ（Ａ５）で始点の周囲に点がある場合、最初に見つけた始点の隣の点を終点として始点及び終点の情報を線分情報として記憶する線分情報記憶ステップ（Ａ６）と；
始点情報に対応する色別メモリの点情報をクリアする色別点情報クリアステップ（Ａ７）と；
その後、始点情報に終点情報をコピーし、前記点情報検索ステップ（Ａ２）に戻る点情報コピーステップ（Ａ８）と；
前記周辺検索ステップ（Ａ５）で始点の周囲に点がない場合、終点情報に始点情報をコピーして始点及び終点の情報を線分として記憶する線分記憶ステップ（Ａ９）と；
始点情報に対応する色別メモリの点情報をクリアする色別メモリクリアステップ（Ａ１０）と；
その後、始点情報をクリアし、前記点情報検索ステップ（Ａ２）に戻る始点情報クリアステップ（Ａ１１）と；
を備えた筆記内容処理方法を特徴としている。
【００１８】
本発明の第９の電子黒板は、前記第８の電子黒板において、
今回読み込むデータの有無を判定する判定ステップ（Ｂ１）と；
読み込むデータが無ければ、前記記録ペンを前記記入面と非接触状態にして終了する終了ステップ（Ｂ６）と；
前記判定ステップ（Ｂ１）で読み込むデータが有れば、データを読み込む読込ステップ（Ｂ２）と；
前回の終点位置と今回の始点位置を比較することにより、前回の終点位置と今回の始点位置が同じかどうかを判定する位置判定ステップ（Ｂ３）と；
この位置判定ステップ（Ｂ３）で、前回の終点と今回の始点が異なる位置の場合不連続点であるため、記録ペンを記入面と非接触状態にして今回の始点位置まで記録ペンを移動したのち、記録ペンを記入面に接触させる接触ステップ（Ｂ４）と；
前記位置判定ステップ（Ｂ３）で、前回の終点と今回の始点が同じ位置の場合連続点であり、記録ペンを記入面に接触したまま今回の終点位置まで移動することにより線分を再生し、前記判定ステップ（Ｂ１）に戻る線分再生ステップ（Ｂ５）と；
を備えた筆記内容処理方法を特徴としている。
【００１９】
本発明の第１０の電子黒板は、前記第２〜７のいずれかの電子黒板において、
イメージスキャナを追加することにより、図面及び書類を前記イメージスキャナから取り込み、取り込んだデータの点情報を線分情報に変換して表示することを特徴としている。
【００２０】
本発明の第１１の電子黒板は、前記第２〜７のいずれかの電子黒板において、
パーソナルコンピュータで作成した画像並びにデジタルカメラにより撮影した画像を読み込み、読み込んだデータの点情報を線分情報に変換して表示することを特徴としている。
【００２１】
【発明の実施の形態】
次に、本発明の実施の形態について図面を参照して説明する。
【００２２】
図１は本発明の電子黒板の一つの実施の形態を示す斜視図である。
【００２３】
図１に示す本実施の形態は、電子黒板に文字・図形を筆記する記入面１と、この記入面１の筆記内容を走査して取り込むスキャナ部２と、記入面１に記録ペン（図示せず）で筆記内容をプロットするプロッタ部３と、筆記内容を記憶する記憶媒体４と、筆記内容をプリントアウトする印字部５と、筆記内容のデータ処理変換及び全体制御を行うＣＰＵ部６とから構成されている。
【００２４】
次に図１を参照して動作を説明する。
【００２５】
電子黒板の記入面１は電子黒板の筆記される部分であり、通常用いる各色の筆記ペンとイレーサにより加筆・修正が行われる。
【００２６】
スキャナ部２はＣＣＤ（Ｃｈａｒｇｅ　Ｃｏｕｐｌｅｄ　Ｄｅｖｉｃｅ：図示せず）を利用した読取装置で、スキャナ部２のＣＣＤをＹ方向（水平方向）に、記入面１をＸ方向（垂直方向）に動かすことにより、電子黒板の記入面１の全面走査が可能となる。
【００２７】
プロッタ部３は筆記ペンと同色の記録ペンを保持し、記録ペンの入れ替えを行い、記録ペンをＹ方向に動かし記入面１をＸ方向に動かし、また記録ペンを記入面１に接触および非接触させることにより、筆記した内容をプロットすることで再生させる。
【００２８】
通常、会議等で電子黒板の記入面１に筆記ペンを用い議事内容等を筆記するが、イレーサにより消去した後は再生できない。筆記内容を記入面１に再生する場合は、筆記内容が記憶され、記憶された筆記内容がプロッタ部３の記録ペンによりプロットされることが必要である。
【００２９】
記憶媒体４は電子黒板の記入面１に筆記内容を色別の点情報としてメモリに記憶する。なお、記憶媒体４として、簡易に持ち運びのできるフロッピィ・ディスクやカード型メモリ並びに組込み用の固定ディスクなどが使用される。
【００３０】
印字部５は筆記ペンによる筆記内容または記録ペンによる再生した筆記内容を印字出力する。
【００３１】
ＣＰＵ部６はスキャナ部２により読み込まれた筆記内容のデータを処理・変換し、記憶媒体４への記録と再生、スキャナ部２、プロッタ部３、印字部５の全体制御を行う。
【００３２】
また、電子黒板の記入面１はＸ方向に巻き取られるような動作をする構成としているが、記入面１を固定し、スキャナ部２およびプロッタ部３の本体をＹ方向のみならずＸ方向の両方向に動作する構成としてもよい。
【００３３】
図２は電子黒板記入面の読み込み点を説明する図である。
【００３４】
図３は電子黒板記入面の色別の読み込み点を説明する図である。
【００３５】
図４は本発明の電子黒板の筆記内容の処理動作を示すフローチャートである。
【００３６】
図５は記入面の始点情報の検索を示す図である。
【００３７】
次に、図１、図２、図３、図４および図５を参照して本実施の形態の動作をより詳細に説明する。
【００３８】
電子黒板の記入面１に筆記された内容は、スキャナ部２のＣＣＤをＹ方向に、記入面１をＸ方向に動かすことにより、記入面１の全面走査により読取られる。
【００３９】
この読取り動作により記入面１の筆記内容は、図２に示すように升目に分けられ升目毎に色別の信号に変換されてＣＰＵ部６へ転送される。
【００４０】
ＣＰＵ部６は、升目毎の色別信号とＣＣＤのＹ方向の位置及び記入面１のＸ方向の位置を検出する。図３に示す通り、記入面１の升目上の赤、青、緑、黒の点情報は、記憶媒体４が有する色別の色メモリに記入面１の升目と対応して記憶される。
【００４１】
次に色メモリに記憶された点情報は、色別のメモリ毎に図４に示す処理を行い、これら色別の点情報を線分情報に変換する。この線分情報は、記録媒体４に記録されまた読み出しが可能である。
【００４２】
プロッタ部３は、線分情報に基づき筆記ペンの色毎に対応した記録ペンをＹ方向に、記入面１をＸ向に動かし、記録ペン１を記入面に接触および非接触させプロットすることにより筆記した内容を再生する。
【００４３】
図４のフローチャートは、電子黒板の記入面１に筆記した色毎に実施する処理であり、かつ点情報を始点と終点の線分情報に変換する処理を示す。
【００４４】
図４の動作を説明すると、まず記入面１の始点情報をクリアする（ステップＡ１）。
【００４５】
次に、記憶媒体４の色別メモリに点情報が残っているかどうかを検索し、点情報が無ければ処理を終了し、点情報が残っていれば次のステップに進む（ステップＡ２）。
【００４６】
ステップＡ３では始点情報がクリアされているかどうかの判定を行い、始点情報がクリアされている場合次のステップＡ４により始点を新たに設定し、始点情報がクリアされていない場合、前回の終点を始点として処理し、ステップＡ５に進む（ステップＡ３）。
【００４７】
ステップＡ４では、始点を新たに設定するためメモリの端から点の有無を検索し、始めに見つけた点を始点とする（ステップＡ４）。
【００４８】
ステップＡ５では、始点の周囲を検索し始点が存在するかどうかを判定する。ここでは図５に示す通り始点の周囲の８ヶ所を検索し、点の有無について検査を行う。
【００４９】
ステップＡ５で始点の周囲に点がある場合、最初に見つけた始点の隣の点を終点として始点及び終点の情報を線分情報として記憶する（ステップＡ６）。
【００５０】
次に始点情報に対応する色別メモリの点情報をクリアする（ステップＡ７）。
【００５１】
その後、始点情報に終点情報をコピーし、ステップＡ２に戻る（ステップＡ８）。
【００５２】
また、ステップＡ５で始点の周囲に点がない場合、終点情報に始点情報をコピーして始点及び終点の情報を線分として記憶する（ステップＡ９）。
【００５３】
次のステップで、始点情報に対応する色別メモリの点情報をクリアする（ステップＡ１０）。
【００５４】
その後、始点情報をクリアし、ステップＡ２に戻る（ステップＡ１１）。
【００５５】
上述のように、始点の周囲に点がある場合、連続点としてステップＡ６〜ステップＡ８の処理を実施し、始点の周囲に点がない場合、不連続点としてステップＡ９〜ステップＡ１１の処理を実施する。
【００５６】
なお、この点情報が連続線分の終点の場合本処理は不要であるが、点のみであった場合本処理を行わないとこの点が再生しない。
【００５７】
次に図４のフローについて、表１に示すデータ「Ａ」を具体例として用い、色別メモリの動作を詳細に説明する。
【００５８】
なお、処理を行う上で、始点情報及び終点情報を記憶するワークメモリ及び線分情報を記憶するメモリが必要である。これらワークメモリ、線分メモリは記憶媒体４にメモリマップとして予め設定されている。
【００５９】
【表１】
2004017581.tif 000003
【００６０】
１）Ａ１の処理
ワークメモリの始点情報をクリアし（データのない状態）、処理Ａ２へ進む（表２）。
【００６１】
【表２】
2004017581.tif 000004
【００６２】
２）Ａ２の処理
色別メモリの点情報を確認する。色別メモリに点情報が残っているので、処理Ａ３へ進む。
【００６３】
３）Ａ３の処理
ワークメモリの始点情報を確認する。ワークメモリの始点情報が処理Ａ１でクリアされているので、処理Ａ４へ進む。
【００６４】
４）Ａ４の処理
色別メモリ上の任意の点を検索し、見つけた点を始点としてワークメモリの始点情報に入力する。任意の点の検索例として、説明上、（０，０）→（１，０）→…→（７，１）→（０，１）→（１，１）→…として検索していくと仮定する。
【００６５】
ここで、点（３，０）を見つけ、これをワークメモリの始点情報として、処理Ａ５へ進む（表３）。
【００６６】
【表３】
2004017581.tif 000005
【００６７】
５）Ａ５の処理
色別メモリにおいて、Ａ４の処理で見つけた始点（３，０）を中心にして、周囲に点情報があるか、検索する。検索例として、上→右上→右→…→左上として検索していくと仮定する（表４）。
【００６８】
ここで点（３，１）を見つけ、周囲の点があるので、処理Ａ６へ進む。
【００６９】
【表４】
2004017581.tif 000006
【００７０】
６）Ａ６の処理
処理Ａ５で見つけた点をワークメモリの終点情報にする。ワークメモリの始点情報（３，０）及び終点情報（３，１）をまとめ、線分情報（３，０−３，１）として記憶し、処理Ａ７へ進む（表５）。
【００７１】
【表５】
2004017581.tif 000007
【００７２】
７）Ａ７の処理
ワークメモリの始点情報に対応する色別メモリの点情報をクリアし（点がないものとする）、処理Ａ８へ進む（表６）。
【００７３】
【表６】
2004017581.tif 000008
【００７４】
８）Ａ８の処理
ワークメモリの始点情報に終点情報をコピーして、処理Ａ２へ進む（表７）。
【００７５】
【表７】
2004017581.tif 000009
【００７６】
９）Ａ２，Ａ３の処理
ワークメモリの始点情報が入っている状態になっている。
【００７７】
処理Ａ２では、色別メモリに点情報があるので、処理Ａ３へ進む。
【００７８】
処理Ａ３では、ワークメモリの始点情報が入っているので、処理Ａ５へ進む。
【００７９】
１０）Ａ５以降の処理
以降、処理を実施し、処理継続後、線分情報として（６，６−６，７）を設定して、始点情報を（６，７）にした後の処理（処理Ａ２）を以下に示す（表８）。
【００８０】
【表８】
2004017581.tif 000010
【００８１】
１１）Ａ２，Ａ３，Ａ５の処理
処理Ａ２において、色別メモリの点情報を確認する。
【００８２】
色別メモリに点情報が残っているので、処理Ａ３へ進む。処理Ａ３において、ワークメモリの始点情報を確認する。ワークメモリの始点情報が入っているので、処理Ａ５へ進む。処理Ａ５において、点（６，７）の周囲に点情報が存在しないので、処理Ａ９へ進む。
【００８３】
１２）Ａ９の処理
終点情報に始点情報をコピーする。ワークメモリの始点情報及び終点情報をまとめ、線分情報に記憶し、処理Ａ１０へ進む（表９）。
【００８４】
【表９】
2004017581.tif 000011
【００８５】
１３）Ａ１０の処理
ワークメモリの始点情報に対応する色別メモリの点情報をクリアし、処理Ａ１１へ進む（表１０）。
【００８６】
【表１０】
2004017581.tif 000012
【００８７】
１４）Ａ１１の処理
ワークメモリの始点情報をクリアする（表１１）。
【００８８】
【表１１】
2004017581.tif 000013
【００８９】
１５）Ａ２，Ａ３，Ａ４の処理
色別メモリの点情報を確認する。色別メモリに点情報が残っているので、処理Ａ３へ進み、ワークメモリの始点情報を確認する。
【００９０】
ワークメモリの始点情報がクリアされているので、処理Ａ４へ進む。色別メモリ上の任意の点を検索し、見つけた点を始点としてワークメモリの始点情報に入力する。ここで、点（２，２）を見つけ、これをワークメモリの始点情報として、処理Ａ５へ進む（表１２）。
【００９１】
【表１２】
2004017581.tif 000014
【００９２】
１６）Ａ５以降の処理
処理Ａ５以降、上記に示した通り処理を進めると、最後に線分情報（０，７−０，７）が設定され、処理１１までには色別メモリの点情報がなくなり、ワークメモリの始点情報がクリアされ、以下の状態になる。この状態で、処理Ａ２に処理が移ると、色別メモリの点情報がないため、処理を終了する（表１３）。
【００９３】
【表１３】
2004017581.tif 000015
【００９４】
なお、終了した状態では、線分情報は、以下の表１４の通りとなる。
【００９５】
【表１４】
2004017581.tif 000016
【００９６】
図６は記録ペンの色毎による動作を示すフローチャートである。
【００９７】
図６のフローチャートは各色の記録ペンに対して、記録ペンと記入面１の移動並びに記録ペンを記入面１に接触および非接触させる処理を示す。
【００９８】
先ず、今回読み込むデータの有無を判定する（ステップＢ１）。
【００９９】
読み込むデータが無ければ、ステップＢ６に進み、記録ペンを記入面１と非接触状態にして終了する（ステップＢ６）。
【０１００】
ステップＢ１で読み込むデータが有れば、データを読み込む（ステップＢ２）。
【０１０１】
次のステップＢ３は、前回の終点位置と今回の始点位置を比較することにより、前回の終点位置と今回の始点位置が同じかどうかを判定する（ステップＢ３）。
【０１０２】
ステップＢ３で、前回の終点と今回の始点が同じ位置の場合、連続点でありステップＢ５の処理へ進み、記録ペンを記入面に接触したまま今回の終点位置まで移動することにより線分を再生し、ステップＢ１に戻る（ステップＢ５）。
【０１０３】
ステップＢ３で前回の終点と今回の始点が異なる位置の場合、不連続点であるため、ステップＢ４により記録ペンを記入面１と非接触状態にして、今回の始点位置まで記録ペンを移動したのち、記録ペンを記入面１に接触し線分を再生する（ステップＢ４）。
【０１０４】
上述の通り、ステップＢ１は順番に始点と終点の線分情報が読み出せるかどうかを検査し、読み出せる場合はステップＢ２〜ステップＢ５を実施し、読み出せない場合はステップＢ６により記録ペンを非接触状態にして終了する。
【０１０５】
次に図６のフローについて、表１に示すデータ「Ａ」を具体例として用い、図４のフローで説明した処理結果の表１４を利用して動作を詳細に説明する。
【０１０６】
なお、処理を行う上で、始点位置と終点位置及び前回終点位置を記憶するワークメモリが記憶媒体４に必要となる。
１）Ｂ１の処理
最初の処理のため、今回読み込むデータはＮｏ１であるので処理２へ進む（表１５）。
【０１０７】
【表１５】
2004017581.tif 000017
【０１０８】
２）Ｂ２の処理
最初のデータとしてＮｏ１のデータをワークメモリの始点位置（３，０）に読み込み、処理Ｂ３へ進む（表１６）。
【０１０９】
【表１６】
2004017581.tif 000018
【０１１０】
３）Ｂ３の処理
最初のデータのため、前回の終点位置は不定であり、始点位置と前回の終点位置は異なるので、処理Ｂ４へ進む。
４）Ｂ４の処理
記録ペンを記入面と非接触状態にして、始点位置（３，０）に記録ペンを移動する。移動後、記録ペンと記入面を接触状態にして、処理Ｂ５へ進む（表１７）。
【０１１１】
【表１７】
2004017581.tif 000019
【０１１２】
５）Ｂ５の処理
記録ペンを記入面と接触状態のまま、終点位置（３，１）に記録ペンを移動し、処理Ｂ１へ進む（表１８）。
【０１１３】
【表１８】
2004017581.tif 000020
【０１１４】
６）Ｂ１の処理
前回、Ｎｏ１のデータを読み込んだので、今回は、Ｎｏ２のデータを読み込むことになる。Ｎｏ２のデータは存在するので、処理Ｂ２へ進む。
７）Ｂ２の処理
Ｎｏ２のデータを読み込む。このとき、前回の終点位置を前回の終点位置として記憶し、処理Ｂ３へ進む（表１９）。
【０１１５】
【表１９】
2004017581.tif 000021
【０１１６】
８）Ｂ３の処理
前回の終点位置と読み込んだ始点位置が同じなので、処理Ｂ５へ進む。
９）Ｂ５の処理
記録ペンを記入面と接触状態のまま終点位置（４，２）に記録ペンを移動し、処理Ｂ１へ進む（表２０）。
【０１１７】
【表２０】
2004017581.tif 000022
【０１１８】
１０）Ｂ１以降の処理
以降、処理を繰返し、Ｎｏ８のデータを読み込み、処理Ｂ５まで進んだ状態で以下の状態になる。処理Ｂ１へ進む（表２１）。
【０１１９】
【表２１】
2004017581.tif 000023
【０１２０】
１１）Ｂ１，Ｂ２の処理
前回、Ｎｏ８のデータを読み込んだので、今回はＮｏ９のデータを読み込むことになる。Ｎｏ９のデータは存在するので、処理Ｂ２へ進む。処理Ｂ２でＮｏ９のデータを読み込む。
【０１２１】
このとき、前回の終点位置を前回の終点位置として記憶する。処理Ｂ３へ進む（表２２）。
【０１２２】
【表２２】
2004017581.tif 000024
【０１２３】
１２）Ｂ３，Ｂ４の処理
始点位置と前回終点位置は異なるので、処理Ｂ４へ進む。記録ペンを記入面と非接触状態にして、始点位置に記録ペンを移動する。
【０１２４】
移動後、記録ペンと記入面を接触状態にして処理Ｂ５へ進む。非接触状態での移動のため、記入面に線は描かれない（表２３）。
【０１２５】
【表２３】
2004017581.tif 000025
【０１２６】
１３）Ｂ５以降の処理
記録ペンを記入面と接触状態のまま、終点位置に記録ペンを移動し、処理Ｂ１へ進む。
【０１２７】
以降、処理を繰返し、Ｎｏ１７のデータを読み込み、処理Ｂ５まで進んだ状態で以下の状態になる（表２４）。
【０１２８】
【表２４】
2004017581.tif 000026
【０１２９】
この次の処理（処理Ｂ１）では、以降に読み込むデータがないので、処理Ｂ６へ進み、記録ペンを記入面と非接触状態にして終了する。
【０１３０】
図４及び図６のフロー動作の説明は以上の通りである。
【０１３１】
さて次に、本発明の電子黒板の第２の実施の形態として、図１の構成にイメージスキャナを追加することにより、電子黒板の記入面１に筆記した内容のほか、図面や書類をイメージスキャナから取り込み、取り込んだデータの点情報を線分情報に変換して記入面１に表示させることが可能となる。
【０１３２】
また、パーソナルコンピュータで作成した画像やデジタルカメラにより撮影した画像を記憶媒体４から読み込み、読み込んだデータの点情報を線分情報に変換して電子黒板の記入面１に表示させることが可能となる。
【０１３３】
上述の通り本発明は、電子黒板において、筆記した内容を消去した後でも新たに電子黒板上に再生できるようにしたもので、スキャナ部２は電子黒板上の記入面１に筆記された内容を色別に読み込む。色別に読み込まれたデータは、ＣＰＵ部６により記憶媒体４の色別メモリに点の図形情報として記憶される。
【０１３４】
メモリの点情報をＣＰＵ部６により連続点であるかどうかを検索し、連続点を線分として記憶する。このとき、線分として記憶した点情報は点無し情報にメモリを書き換える。この処理をメモリ上から点情報が無くなるまで繰り返し、全ての点情報を線分情報に変換する。この線分情報を記憶媒体４に記録する。記憶媒体４に記録した線分情報を読み出し、プロッタ部３の記録ペンにより電子黒板上の記入面１に筆記した内容を再生することになる。
【０１３５】
【発明の効果】
以上説明したように、本発明の電子黒板は、記入面に筆記された内容を線分データに変換することで、電子黒板に筆記した内容が消去された場合でも、筆記内容が容易に再生できるという効果を有している。
【図面の簡単な説明】
【図１】本発明の電子黒板の一つの実施の形態を示す斜視図である。
【図２】電子黒板記入面の読み込み点を説明する図である。
【図３】電子黒板記入面の色別の読み込み点を説明する図である。
【図４】本発明の電子黒板の筆記内容の処理動作を示すフローチャートである。
【図５】記入面の始点情報の検索を示す図である。
【図６】記録ペンの色毎による動作を示すフローチャートである。
【符号の説明】
１　　記入面
２　　スキャナ部
３　　プロッタ部
４　　記憶媒体
５　　印字部
６　　ＣＰＵ部
【図１】
2004017581.tif 000027
【図２】
2004017581.tif 000028
【図３】
2004017581.tif 000029
【図４】
2004017581.tif 000030
【図５】
2004017581.tif 000031
【図６】
2004017581.tif 000032